(57)【要約】【課題】この発明は、券類の重ね取りを確実に検出でき信頼性の高い処理ができる券類処理装置、および券類処理方法を提供することを課題とする。【解決手段】処理装置１は、挿入口４を介して取り込んだチケットＴの表面に付与されているバーコードを読み取る表面バーコード読取部１１、および裏面に付与されているバーコードを読み取る裏面バーコード読取部１２を有する。表面のバーコードに含まれるＩＤ番号と裏面のバーコードに含まれるＩＤ番号が不一致のとき、チケットＴの重ね取りが判定される。【選択図】    図１
2004310450.tif 000002
【特許請求の範囲】
【請求項１】
重ねて投入された複数枚の券類を１枚ずつ取り込む取込部と、
取り込んだ券類の第１面に付与されている第１の情報を読み取る第１読取部と、
上記第１の情報と関連付けて当該券類の第２面に付与されている第２の情報を読み取る第２読取部と、
上記第１および第２読取部における読取結果に基づいて、上記第１および第２の情報の関連性を判断して券類の重ね取りの有無を判定する判定部と、
この判定部で重ね取り無しが判定された券類を処理する処理部と、を備えていることを特徴とする券類処理装置。
【請求項２】
上記第１および第２の情報は、当該券類に固有の全く同じ情報を含み、
上記判定部は、この固有情報が一致していることに基づいて券類の重ね取り無しを判定し、固有情報が不一致であることに基づいて券類の重ね取り有りを判定することを特徴とする請求項１に記載の券類処理装置。
【請求項３】
上記第１および第２の情報は、特定の計算式に基づいて一義的に関連付けされた第１および第２の関連情報をそれぞれ含み、
上記判定部は、これら第１および第２の関連情報を上記特定の計算式に当てはめて関連性を判断し、券類の重ね取りの有無を判定することを特徴とする請求項１に記載の券類処理装置。
【請求項４】
上記処理部は、上記第１の情報を予め用意した当せん番号と照合して当該券類が当せん券であるか否かを判断する判断部、この判断部で当せん券であることが判断された券類を一時的に保留する保留部、および保留した当せん券に所定の文字を印字する印字部をさらに有し、
上記取込部によって全ての券類が取り込まれた後、上記保留部に保留された当せん券を取り出して上記第１および第２読取部に再供給し、これら第１および第２読取部における読取結果に基づいて上記判定部で重ね取り無しが判定された当せん券を上記印字部へ供給して上記所定の文字を印字することを特徴とする請求項１に記載の券類処理装置。
【請求項５】
重ねて投入された複数枚の券類を１枚ずつ取り込む取込工程と、
取り込んだ券類の第１面に付与されている第１の情報を読み取る第１の読取工程と、
上記第１の情報と関連付けて当該券類の第２面に付与されている第２の情報を読み取る第２の読取工程と、
上記第１および第２の読取工程における読取結果に基づいて、上記第１および第２の情報の関連性を判断して券類の重ね取りの有無を判定する判定工程と、
この判定工程で重ね取り無しが判定された券類を処理する処理工程と、を備えていることを特徴とする券類処理方法。
【請求項６】
上記第１および第２の情報は、当該券類に固有の全く同じ情報を含み、
上記判定工程では、この固有情報が一致していることに基づいて券類の重ね取り無しを判定し、固有情報が不一致であることに基づいて券類の重ね取り有りを判定することを特徴とする請求項５に記載の券類処理方法。
【請求項７】
上記第１および第２の情報は、特定の計算式に基づいて一義的に関連付けされた第１および第２の関連情報をそれぞれ含み、
上記判定工程では、これら第１および第２の関連情報を上記特定の計算式に当てはめて関連性を判断し、券類の重ね取りの有無を判定することを特徴とする請求項５に記載の券類処理方法。
【請求項８】
上記処理工程では、上記第１の情報を予め用意した当せん番号と照合して当該券類が当せん券であるか否かを判断し、当せん券であることが判断された券類を保留部に一時的に保留するとともに、上記取込工程で全ての券類を取り込んだ後、保留した当せん券を保留部から取り出して上記第１および第２の情報を再度読み取り、この読取結果に基づいて重ね取り無しが判定された当せん券に所定の文字を印字することを特徴とする請求項５に記載の券類処理方法。
【発明の詳細な説明】
【０００１】
【発明の属する技術分野】
この発明は、重ねて投入された複数枚の券類を１枚ずつ取り出して処理する券類処理装置、および券類処理方法に関する。
【０００２】
【従来の技術】
従来、券類処理装置として、複数枚のくじ付帳票を一括投入して１枚ずつ取り出し、その有効期間をそれぞれ判定し、有効期間内のくじ付帳票に関して当りか外れかを判定するくじ付帳票処理装置が知られている（例えば、特許文献１参照。）。
【０００３】
【特許文献１】
特開平４−３０３２５９号公報（段落［００１３］［００１４］、図１）
【０００４】
【発明が解決しようとする課題】
しかし、上述したくじ付帳票処理装置のように、一括投入された複数枚のくじ付帳票を１枚ずつ取り出す場合、取り出すべきくじ付帳票に重ねられた別のくじ付帳票が連れ出されて重ね取りされてしまう可能性がある。複数枚のくじ付帳票を重ねて取り出してしまうと、後段の当せん判定処理や振分処理に支障をきたし、ジャムを生じたり、最悪の場合、当り外れの判定をしないまま排出してしまう問題が生じる。
【０００５】
この発明は、以上の点に鑑みなされたもので、その目的は、券類の重ね取りを確実に検出でき信頼性の高い処理ができる券類処理装置、および券類処理方法を提供することにある。
【０００６】
【課題を解決するための手段】
上記目的を達成するため、本発明の券類処理装置は、重ねて投入された複数枚の券類を１枚ずつ取り込む取込部と、取り込んだ券類の第１面に付与されている第１の情報を読み取る第１読取部と、上記第１の情報と関連付けて当該券類の第２面に付与されている第２の情報を読み取る第２読取部と、上記第１および第２読取部における読取結果に基づいて、上記第１および第２の情報の関連性を判断して券類の重ね取りの有無を判定する判定部と、この判定部で重ね取り無しが判定された券類を処理する処理部と、を備えている。
【０００７】
また、本発明の券類処理方法は、重ねて投入された複数枚の券類を１枚ずつ取り込む取込工程と、取り込んだ券類の第１面に付与されている第１の情報を読み取る第１の読取工程と、上記第１の情報と関連付けて当該券類の第２面に付与されている第２の情報を読み取る第２の読取工程と、上記第１および第２の読取工程における読取結果に基づいて、上記第１および第２の情報の関連性を判断して券類の重ね取りの有無を判定する判定工程と、この判定工程で重ね取り無しが判定された券類を処理する処理工程と、を備えている。
【０００８】
上記発明によると、券類の第１面に付与された第１の情報、およびこの第１の情報に関連付けて第２面に付与された第２の情報を読み取って、関連性を判断し、券類の重ね取りを判定する。つまり、第１および第２の情報に関連性が有る場合に重ね取り無しを判定し、関連性が無い場合に重ね取り有りを判定する。これにより、券類の重ね取りを確実且つ容易に検出でき、信頼性の高い処理が可能となる。
【０００９】
【発明の実施の形態】
以下、図面を参照しながらこの発明の実施の形態について詳細に説明する。
【００１０】
図１には、この発明の第１の実施の形態に係る券類処理装置１（以下、単に処理装置１と称する）の概略構造を示してある。ここでは、ユニークな抽選番号が印刷された福引抽選くじ（券類）（以下、チケットＴと称する）を纏めて処理する処理装置１について説明する。
【００１１】
図２（ａ）には処理対象となるチケットＴの表面（第１面）を図示してあり、図２（ｂ）にはチケットＴの裏面（第２面）を図示してある。チケットＴの表面には、くじの抽選番号が印字されているとともに、各チケットＴに固有のＩＤ番号（固有情報）を含む所定の情報（第１の情報）をエンコードしたバーコードＣ１が印刷されている。また、チケットＴの裏面には、表面のＩＤ番号と同じＩＤ番号（固有情報）を含む所定の情報（第２の情報）をエンコードしたバーコードＣ２が印刷されている。尚、本実施の形態では、各チケットＴのＩＤ番号が抽選番号となっている。
【００１２】
図１に示すように、処理装置１は、装置の外殻をなす筐体２を有する。筐体２の外側所定位置には、処理対象となる複数枚のチケットＴを纏めて載置する投入トレイ３が設けられている。また、筐体２には、投入トレイ３上に載置されたチケットＴを筐体２内に取り込むための挿入口４が形成されている。投入トレイ３が挿入口４に近接した位置には、投入トレイ３上に載置された複数枚のチケットＴのうち最下端のチケットＴに転接して回転することにより当該チケットＴを挿入口４を介して筐体２内に挿入するための取込ローラ５（取込部）が設けられている。
【００１３】
挿入口４の下方には、チケットＴを筐体２外へ排出するための排出口６が設けられている。排出口６には、筐体２外に排出されたチケットＴを載置する排出トレイ７が設けられている。
【００１４】
筐体２の内部には、挿入口４から排出口６に向けて延びた搬送路８が形成されている。搬送路８上には、チケットＴを正逆両方向に搬送するための複数の搬送ローラ９、および図示しない複数の搬送ガイドが設けられている。搬送路８は、略Ｕ字形に湾曲されている。
【００１５】
搬送路８上には、搬送されるチケットＴの表面に付与されているバーコードＣ１を読み取るための表面バーコード読取部１１（第１読取部）、およびチケットＴの裏面に付与されているバーコードＣ２を読み取るための裏面バーコード読取部１２（第２読取部）が設けられている。各読取部１１、１２は、チケットＴから読み取ったバーコードＣ１、Ｃ２をデコードした後、後述する制御部１０へ送信する。
【００１６】
また、２つの読取部１１、１２の下流側の搬送路８上には、印字部１３（処理部）が設けられている。印字部１３は、チケットＴの表面に、所定の文字を印字する。さらに、読取部１２と印字部１３との間の搬送路８は図示しないゲートにより分岐されており、その分岐位置には一時保留部１４（保留部、処理部）が設けられている。
【００１７】
一時保留部１４は、チケットＴを一時的に集積して収容する。一時保留部１４は、集積した最上端のチケットＴに転接して回転することにより当該チケットＴを逆方向に送り出す送りローラ１５を有する。上述した取込ローラ５および送りローラ１５は、ゴムローラからなり、摩擦によりチケットＴを取り出すようになっている。
【００１８】
図３には、上記構造の処理装置１の動作を制御する制御系のブロック図を示してある。
【００１９】
処理装置１の制御系は、図示しないメモリに格納された制御プログラムに従って装置１の動作を制御する制御部１０（判定部、処理部、判断部）を有する。制御部１０のメモリには、当該処理装置１で取り扱うチケットＴの当せん番号が記憶されている。
【００２０】
制御部１０には、上述した挿入口４、排出口６、表面バーコード読取部１１、裏面バーコード読取部１２、印字部１３、および一時保留部１４の他に、係員操作部２１、表示部２２、および搬送部２３が接続されている。
【００２１】
係員操作部２１は、処理装置１を操作する係員による各種操作入力を受け付ける。表示部２２は、係員に対して各種情報を表示する。搬送部２３は、搬送路８上に設けられた複数の搬送ローラ９を駆動制御してチケットＴを搬送路８に沿って正逆両方向に搬送する。また、搬送部８は、搬送路８上に設けられた図示しないゲートを切り換えてチケットＴを一時保留部１４へ選択的に送り込むとともに、一時保留部１４から送り出す。
【００２２】
次に、図４および図５に示すフローチャートを参照して、上述した処理装置１による処理動作について説明する。尚、ここでは、利用客から受け取った３０枚のチケットＴを係員が処理装置１に投入して纏めて処理する場合について説明する。
【００２３】
まず、投入トレイ３上に処理対象となる３０枚のチケットＴが載置されて取込ローラ５が回転され、最下端のチケットＴが筐体２内に取り込まれる（図４：ステップ１）。そして、表面バーコード読取部１１を介してチケットＴの表面に付与されているバーコードＣ１が読み取られ（ステップ２）、裏面バーコード読取部１２を介してチケットＴの裏面に付与されているバーコードＣ２が読み取られる（ステップ３）。
【００２４】
このとき、制御部１０は、各読取部１１、１２でデコードされて送信されたコード情報に含まれるＩＤ番号を比較し、２つのＩＤ番号が一致するか否かを判断する（ステップ４）。つまり、１枚のチケットＴが正常に取り出されて搬送されている状態では、チケットＴの表面のＩＤ番号と裏面のＩＤ番号が一致するが、２枚以上のチケットＴが重ね取りされている状態では、２つのＩＤ番号は不一致となる。このため、制御部１０は、ＩＤ番号が一致していることに基づいて重ね取り無しを判断し、ＩＤ番号が不一致であることに基づいて重ね取り有りを判断する。
【００２５】
制御部１０がチケットＴの重ね取り有りを判断すると（ステップ４；ＮＯ）、係員に対して表示部２２を介して“重ね取り”が表示され（ステップ５）、重ね取りを生じた当該チケットＴが排出口６を介して排出トレイ７上に排出される（ステップ６）。
【００２６】
一方、制御部１０は、チケットＴの重ね取り無しを判断すると（ステップ４；ＹＥＳ）、ステップ２（或いはステップ３）で当該チケットＴから読み取ったＩＤ番号を図示しないメモリに記憶している当せん番号と比較し、当該チケットＴが当せん券であるか否かを判断する（ステップ７）。
【００２７】
ステップ７で当該チケットＴが当せん券ではないことが判断されると（ステップ７；ＮＯ）、当該ハズレ券が印字部１３へ搬送されて“ハズレ”が印字される（ステップ８）。そして、当該ハズレ券が排出口６を介して排出トレイ７上に排出される（ステップ９）。つまり、排出トレイ７上には、ステップ６で排出された重ね取り券およびステップ９で排出されたハズレ券が混在されて集積されることになる。
【００２８】
また、ステップ７で当該チケットＴが当せん券であることが判断されると（ステップ７；ＹＥＳ）、当該当せん券が一時保留部１４へ搬送されて一時的に保留される（ステップ１０）。
【００２９】
以上、投入トレイ３を介して投入された３０枚のチケットＴが筐体２内に取り込まれるまでステップ１〜１０の処理が続けられ（ステップ１１）、ハズレ券および重ね取り券が排出トレイ７上に排出されて当せん券が一時保留部１４に保留される。
【００３０】
この後、制御部１０は、一時保留部１４に当せん券が有るか否かを判断し（ステップ１２）、一時保留部１４に当せん券が有る場合（ステップ１２；ＹＥＳ）、表示部２２を介して“当せん券があります。今すぐ処理しますか？”を表示する（ステップ１３）。このとき、表示画面には、“はい”ボタンと“いいえ”ボタンが同時に表示される。尚、このとき、一時保留部１４に当せん券が無い場合には処理が終了される。
【００３１】
ステップ１３の状態で、係員は、排出トレイ７上に排出された重ね取り券およびハズレ券を取り出して手作業により分類し、ハズレ券を利用客に返却するとともに、重ね取り券の当せん確認をする。このとき、ハズレ券には、ステップ８で“ハズレ”が印字されており、重ね取り券が有る場合にはステップ５で“重ね取り”が表示されているため、係員は、ハズレ券と重ね取り券の分類を容易にできる。
【００３２】
そして、利用客の指示により当せん券を今すぐ処理しないことが選択されると（ステップ１４；ＮＯ）、係員によって“いいえ”ボタンが入力され、一時保留部１４に保留されている当せん券が排出口６を介して排出トレイ７上に排出される。排出された当せん券は、係員によって利用客に返却され（ステップ１５）、処理が終了される。
【００３３】
一方、利用客の指示により当せん券を今すぐ処理することが選択されると、係員によって表示画面上の“はい”ボタンが入力され（ステップ１４；ＹＥＳ）、送りローラ１５が回転されて一時保留部１４から当せん券が取り出される（ステップ１６）。このとき、一時保留部１４に複数枚の当せん券が保留されている場合、最上端の当せん券から順に取り出される。
【００３４】
さらに、一時保留部１４から取り出された当せん券が表面バーコード読取部１１を超えて挿入口４付近まで戻されて、再び２つの読取部１１、１２を通過される。つまり、一時保留部１４から取り出された当せん券から、表面バーコード読取部１１を介してバーコードＣ１が再び読み取られ（ステップ１７）、裏面バーコード読取部１２を介してバーコードＣ２が再び読み取られる（ステップ１８）。
【００３５】
そして、制御部１０は、各読取部１１、１２でデコードされて送信されたコード情報に含まれるＩＤ番号を比較し、２つのＩＤ番号が一致するか否かを判断する（ステップ１９）。このとき、制御部１０は、ＩＤ番号が一致していることに基づいて重ね取り無しを判断し、ＩＤ番号が不一致であることに基づいて重ね取り有りを判断する。
【００３６】
制御部１０が当せん券の重ね取り有りを判断すると（ステップ１９；ＮＯ）、係員に対して表示部２２を介して“重ね取り”が表示され（ステップ２０）、重ね取りを生じた当せん券が排出口６を介して排出トレイ７上に排出される（ステップ２１）。排出された重ね取り券は、係員による手作業により当せん確認がなされる。
【００３７】
一方、制御部１０は、当せん券の重ね取り無しを判断すると（ステップ１９；ＹＥＳ）、ステップ１７（或いはステップ１８）で当該当せん券から読み取ったＩＤ番号を図示しないメモリに記憶している当せん番号と比較し、当該当せん券が本当に当せんしているか否かをダブルチェックする（ステップ２２）。
【００３８】
ステップ２２で当該チケットＴが当せん券ではないことが判断されると（ステップ２２；ＮＯ）、当該ハズレ券が印字部１３へ搬送されて“ハズレ”が印字される（ステップ２３）。そして、当該ハズレ券が排出口６を介して排出トレイ７上に排出される（ステップ２４）。
【００３９】
一方、ステップ２２で当該チケットＴが間違いなく当せん券であることが判断されると（ステップ２２；ＹＥＳ）、当該当せん券が印字部１３へ搬送されて“当り”が印字されるとともに当せん等級や当せん金額が印字される（ステップ２５）。所定の情報が印字された当せん券は、排出口６を介して排出トレイ７上に排出され（ステップ２６）、係員によって利用客に返却される。
【００４０】
以上のように、本実施の形態によると、取り込んだチケットＴの表面および裏面に付与されているバーコードＣ１、Ｃ２を読み取って、コード情報に含まれるＩＤ番号を照合することにより、重ね取りの有無を判断するようにした。これにより、重ね取りの有無を容易且つ確実に検出でき、信頼性の高い処理が可能となる。つまり、これにより、例えば、重ね取りに気づかずに当せん券を排出してしまうような重大な間違いを犯すことを防止できる。
【００４１】
また、本実施の形態によると、当せん券を一旦保留してダブルチェックするようにしたため、当せん確認をより確実にできるようになった。
【００４２】
尚、本実施の形態では、チケットＴの両面から読み取ったＩＤ番号を照合して一致したことに基づいてチケットＴの重ね取り無しを判断したが、チケットＴの表面および裏面に予め決められたルールに基づいて一義的に関連付けされた２つの情報（第１および第２の関連情報）を付与しておき、この２つの情報の関連性を判断してチケットＴの重ね取りを判定するようにしても良い。この場合、例えば、制御部１０のメモリに予め用意した特定の計算式にチケット表面の番号を入力してチケット裏面の番号が算出されるか否かをチェックする方法でも良い。
【００４３】
また、本実施の形態では、上述したように、制御部１０のメモリに当せん番号や計算式を予め格納した場合について説明したが、これに限らず、処理装置１の制御部１０と接続したサーバに当せん番号や計算式を格納しておいても良い。いずれにしても、特定の計算式を用いて関連性を判断することにより、チケットＴの偽造を防止することができる。
【００４４】
次に、この発明の第２の実施の形態に係る券類処理装置３０（以下、単に処理装置３０と称する）について、図６乃至図１０を参照して説明する。ここでは、有権者から集めた選挙の投票券（券類）（以下、マークシートＭと称する）を纏めて投入し、各マークシートＭにマークした内容を一括して読み取るとともに、読取結果を集計して表示する処理装置３０について説明する。
【００４５】
図７には処理対象となるマークシートＭの表面（第１面）を図示してあり、図８にはマークシートＭの裏面（第２面）を図示してある。マークシートＭの表面および裏面には、各シートＭに固有の同じＩＤ番号Ｎ１、Ｎ２（固有情報、第１、第２の情報）が印刷されている。ＩＤ番号Ｎ１、Ｎ２は、それぞれ、シートＭの挿入方向（図中矢印Ｓ方向）に沿って後端側の辺に沿って印刷されている。
【００４６】
また、マークシートＭの表面には、ＩＤ番号の他に、行列状に形成された複数個の矩形のマーク領域ｍが印刷されている。複数のマーク領域ｍは、スタートマーク領域ｍ１、エンドマーク領域ｍ２、タイミングマーク領域ｍ３、およびユーザーマーク領域ｍ４からなる。
【００４７】
スタートマーク領域ｍ１は、シートＭの挿入方向Ｓに沿って先端側の辺に沿って並んだ列にある複数個の領域であり、エンドマーク領域ｍ２は、挿入方向後端側の辺に沿って並んだ列にある複数個の領域であり、タイミングマーク領域ｍ３は、シートＭの挿入方向Ｓに沿った一方の長辺に沿って並んだ行にある複数個の領域であり、ユーザーマーク領域ｍ４は、それ以外の領域である。領域ｍ１、ｍ２、ｍ３は、予めシートＭに印刷されており、領域ｍ４が有権者によってマークされる領域となる。
【００４８】
マーク領域ｍを読み取る場合、初めにスタートマーク領域ｍ１を読み取って、タイミングマーク領域ｍ３に沿ってユーザーマーク領域ｍ４を読み取り、エンドマーク領域ｍ２で読み取りを終了する。
【００４９】
図６には本実施の形態の処理装置３０の概略構造を示してある。また、図９にはこの処理装置３０の動作を制御する制御系のブロック図を示してある。以下の説明では、上述した第１の実施の形態の処理装置１と同様に機能する構成要素については同一符号を付してその詳細な説明を省略する。
【００５０】
処理装置３０は、挿入口４を介して取り込んだマークシートＭの表面に印刷されているマーク領域ｍを光学的に読み取るとともに、マークシートＭの表面に印刷されているＩＤ番号Ｎ１を光学的に読み取る表面マーク・文字読取部３２（第１読取部）、およびマークシートＭの裏面に印刷されているＩＤ番号Ｎ２を光学的に読み取る裏面文字読取部３４（第２読取部）を有する。
【００５１】
また、処理装置３０は、図示しないメモリに格納された制御プログラムに従って処理装置３０の動作を制御する制御部４０を有する。しかして、この処理装置３０は、制御部４０による制御に基づき、図１０に示すフローチャートに従って動作する。
【００５２】
まず、投入トレイ３上に処理対象となる１００枚のマークシートＭが載置されて取込ローラ５が回転され、最下端のマークシートＭが筐体２内に取り込まれる（ステップ１）。そして、表面マーク・文字読取部３２を介してマークシートＭの表面に印刷されているマーク領域ｍおよびＩＤ番号Ｎ１が読み取られ（ステップ２）、裏面文字読取部３４を介してマークシートＭの裏面に印刷されているＩＤ番号Ｎ２が読み取られる（ステップ３）。
【００５３】
このとき、制御部４０は、各読取部３２、３４を介してシートＭの表面および裏面から読み取ったＩＤ番号を比較し、２つのＩＤ番号が一致するか否かを判断する（ステップ４）。つまり、１枚のマークシートＭが正常に取り出されて搬送されている状態では、マークシートＭの表面のＩＤ番号と裏面のＩＤ番号が一致するが、２枚以上のマークシートＭが重ね取りされている状態では、２つのＩＤ番号は不一致となる。このため、制御部４０は、ＩＤ番号が一致していることに基づいて重ね取り無しを判断し、ＩＤ番号が不一致であることに基づいて重ね取り有りを判断する。
【００５４】
制御部４０がマークシートＭの重ね取り有りを判断すると（ステップ４；ＮＯ）、係員に対して表示部２２を介して“重ね取り”が表示され（ステップ５）、重ね取りを生じた当該マークシートＭ（重ね取り券）が印字部１３を通過して排出口６を介して排出トレイ７上に排出される（ステップ６）。ステップ５の表示内容として、“処理エラーです。排出口にマークシートを排出しますので、確認してください。メッセージを確認したら“確認ボタン”を押してください”というメッセージが表示される。
【００５５】
一方、制御部４０は、ステップ４でマークシートＭの重ね取り無しを判断すると（ステップ４；ＹＥＳ）、ステップ２で当該マークシートＭから読み取ったユーザーマーク領域ｍ４に関するデータを図示しないメモリに記憶し（ステップ７）、当該マークシートＭを印字部１３へ搬送してシート表面に“読取済”を印字する（ステップ８）。そして、制御部４０は、“読取済”を印字したマークシートＭを排出口６を介して排出トレイ７上に排出する（ステップ９）。
【００５６】
以上、投入トレイ３を介して投入された１００枚のマークシートＭが筐体２内に取り込まれて処理されるまでステップ１〜９の処理が続けられ（ステップ１０）、“読取済”が印字されたマークシートＭとともに重ね取りした未処理のマークシートＭが排出トレイ７上に排出される。
【００５７】
この後、制御部４０にて、当該処理において重ね取りが生じていたか否かが判断され（ステップ１１）、重ね取りが生じていた場合（ステップ１１；ＹＥＳ）、表示部２２を介して重ね取りが生じていたことを係員に対して表示し、この表示を確認した係員の手作業によって、未処理のマークシートＭが排出トレイ７から選別されて投入トレイ３を介して再投入される（ステップ１２）。
【００５８】
再投入されたマークシートＭに関しても、上述したステップ１〜ステップ１０の処理がなされ、挿入口４にマークシートＭが無くなって（ステップ１０；ＮＯ）重ね取りも無くなった時点（ステップ１１；ＮＯ）で、制御部４０のメモリに記憶したユーザーマークに関するデータが集計されて表示部２２を介して係員に表示される（ステップ１３）。
【００５９】
以上のように、本実施の形態によると、上述した第１の実施の形態と同様に、マークシートＭの重ね取りを容易且つ確実に検出でき、信頼性の高い処理が可能となる。つまり、重ね取りに気づかずに未処理のマークシートＭをそのまま排出してしまうような不具合を防止できる。
【００６０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００６１】
例えば、上述した実施の形態では、バーコードや数字によって表示したＩＤ番号を読み取って処理する場合について説明したが、これに限らず、ＩＤ番号を磁気情報として読み取って処理しても良い。
【００６２】
また、上述した実施の形態では、排出口６を１つにして排出トレイ７上に排出した複数種類の媒体を係員が手作業で処理する場合について説明したが、これに限らず、排出口６の手前にゲートを設け、排出する媒体を種類毎に分別しても良い。例えば、上述した第１の実施の形態の処理装置１では、重ね取りしたチケットＴ、ハズレ券、および当せん券をそれぞれ分別して別々の排出先へ排出するようにしても良い。また、上述した第２の実施の形態の処理装置３０では、読取済のマークシートＭと重ね取りしてしまったマークシートＭとを別々の排出先へ排出するようにしても良い。
【００６３】
【発明の効果】
以上説明したように、この発明の券類処理装置は、上記のような構成および作用を有しているので、券類の重ね取りを確実に検出でき信頼性の高い処理ができる。
【図面の簡単な説明】
【図１】この発明の第１の実施の形態に係る券類処理装置の概略構造を示す図。
【図２】図１の処理装置において処理対象となるチケットの表面（ａ）および裏面（ｂ）を示す図。
【図３】図１の処理装置の動作を制御する制御系を示すブロック図。
【図４】図１の処理装置の動作を説明するためのフローチャート。
【図５】図１の処理装置の動作を説明するためのフローチャート。
【図６】この発明の第２の実施の形態に係る券類処理装置の概略構造を示す図。
【図７】図６の処理装置において処理対象となるマークシートの表面を示す図。
【図８】図６の処理装置において処理対象となるマークシートの裏面を示す図。
【図９】図６の処理装置の動作を制御する制御系を示すブロック図。
【図１０】図６の処理装置の動作を説明するためのフローチャート。
【符号の説明】
１…券類処理装置、２…筐体、３…投入トレイ、４…挿入口、５…取込ローラ、６…排出口、７…排出トレイ、８…搬送路、９…搬送ローラ、１０…制御部、１１…表面バーコード読取部、１２…裏面バーコード読取部、１３…印字部、１４…一時保留部、１５…送りローラ、２１…係員操作部、２２…表示部、２３…搬送部、３０…券類処理装置、３２…表面マーク・文字読取部、３４…裏面文字読取部、４０…制御部、Ｃ１、Ｃ２…バーコード、Ｍ…マークシート、Ｎ１、Ｎ２…ＩＤ番号、Ｔ…チケット。
【図１】
2004310450.tif 000003
【図２】
2004310450.tif 000004
【図３】
2004310450.tif 000005
【図４】
2004310450.tif 000006
【図５】
2004310450.tif 000007
【図６】
2004310450.tif 000008
【図７】
2004310450.tif 000009
【図８】
2004310450.tif 000010
【図９】
2004310450.tif 000011
【図１０】
2004310450.tif 000012